(57)【要約】【課題】本発明は上記従来の問題点に鑑みて発明したものであって、水中照明器具の点灯時には壁面照明器具を点灯して間接照明を行うことができて浴室内全体が非常に暗くなることを防止でき、入浴者が浴室内を安全に移動でき、また浴槽内の発光した湯水の中に身体を浸けた入浴者が不安を感じることを防止できる浴室照明装置を提供することを課題とする。【解決手段】浴室１を間接照明する壁面照明器具４ａと、浴槽５に設置されて浴槽５内の湯水に光を照射する水中照明器具４ｂとを備える。壁面照明器具４ａを浴室１の壁１ａにおける浴槽５のフランジ５ｃよりも上方で且つフランジ５ｃから４００ｍｍ以下の高さに設置する。【選択図】図１
2008053192.tif 000002
【特許請求の範囲】
【請求項１】
浴室の壁に設置されて浴室内を間接照明する壁面照明器具と、浴槽に設置されて浴槽内の湯水に光を照射する水中照明器具とを備え、壁面照明器具を浴室の壁における浴槽のフランジよりも上方で且つフランジから４００ｍｍ以下の高さに設置して成ることを特徴とする浴室照明装置。
【請求項２】
浴室内全体を照らす主照明器具を備え、主照明器具、壁面照明器具、水中照明器具の夫々の点灯状態を変更するための操作器を浴室内に設置し、操作器を操作することで主照明器具を消灯し且つ水中照明器具を点灯した状態で壁面照明器具を点灯可能としたことを特徴とする請求項１に記載の浴室照明装置。
【発明の詳細な説明】
【技術分野】
【０００１】
本発明は浴室の壁に設置される壁面照明器具を備えた浴室照明装置に関する。
【背景技術】
【０００２】
従来、浴槽内の湯水に光を照射する水中照明器具を浴槽に設置し、水中照明器具により浴槽内の湯水を発光し、幻想的な雰囲気となった浴槽内の湯水の中に身体を浸けて入浴できるようにしたものがある（例えば特許文献１）。
【０００３】
ところでこのような水中照明器具を設置した浴室にあっては、水中照明器具とは別に浴室を照らす他の照明器具が設置されるが、例えば他の照明器具として浴室を直接照明する主照明器具を設け、該主照明器具を前記水中照明器具と共に点灯するようにした場合、浴室全体が明るくなり過ぎて前述した水中照明器具による効果が得られ難い。従って通常は水中照明器具を点灯した状態で他の照明器具である主照明器具を消灯するのだが、このように主照明器具を消灯した場合、浴室内は浴槽内の湯水だけが水中照明器具で発光する状態となり浴室全体が非常に暗くなり、入浴者は浴室内を安全に移動することができず、また入浴者が特に女性である場合には不安を感じてしまう恐れがある。
【特許文献１】特開２００１−１６９９４９号公報
【発明の開示】
【発明が解決しようとする課題】
【０００４】
本発明は上記従来の問題点に鑑みて発明したものであって、水中照明器具の点灯時には壁面照明器具を点灯して間接照明を行うことができて浴室内全体が非常に暗くなることを防止でき、入浴者が浴室内を安全に移動でき、また浴槽内の発光した湯水の中に身体を浸けた入浴者が不安を感じることを防止できる浴室照明装置を提供することを課題とする。
【課題を解決するための手段】
【０００５】
上記課題を解決するために本発明に係る浴室照明装置は、浴室１の壁１ａに設置されて浴室１内を間接照明する壁面照明器具４ａと、浴槽５に設置されて浴槽５内の湯水に光を照射する水中照明器具４ｂとを備え、壁面照明器具４ａを浴室１の壁１ａにおける浴槽５のフランジ５ｃよりも上方で且つフランジ５ｃから４００ｍｍ以下の高さに設置して成ることを特徴とする。
【０００６】
上記構成により、壁面照明器具４ａにより浴室１内を間接照明したり、水中照明器具４ａにより浴槽５内の湯水を発光させて幻想的な雰囲気とすることができる。さらには水中照明器具４ｂの点灯時には壁面照明器具４ａを点灯して間接照明を行うことができ、これにより浴室１内全体が非常に暗くなることを防止できる。また特に上記壁面照明器具４ａは浴室１の壁１ａにおける浴槽５のフランジ５ｃよりも上方で且つフランジ５ｃから４００ｍｍ以下の高さに設置しているため、壁面照明器具４ａを浴槽５に入って入浴した入浴者１０の顔の位置と略同じ高さとすることができ、これにより壁面照明器具４ａから発する光を浴槽５に居る入浴者１０の目線の先に位置させることができる。
【０００７】
また請求項２は請求項１において、浴室１内全体を照らす主照明器具２を備え、主照明器具２、壁面照明器具４ａ、水中照明器具４ｂの夫々の点灯状態を変更するための操作器１３を浴室１内に設置し、操作器１３を操作することで主照明器具２を消灯し且つ水中照明器具４ｂを点灯した状態で壁面照明器具４ａを点灯可能としたことを特徴とする。
【０００８】
上記構成により主照明器具２で浴室１全体を照らすことができ、またこの主照明器具２を消灯し且つ水中照明器具４ｇを点灯した場合には壁面照明器具４ａを点灯して、浴室１内を間接照明することができ、浴室１内全体が非常に暗くなることを防止できる。
【発明の効果】
【０００９】
請求項１に係る発明では、壁面照明器具により浴室内を間接照明して入浴者をリラックスさせることができ、また水中照明器具により浴槽内の湯水を発光させ、幻想的な雰囲気となった浴槽内の湯水の中に身体を浸けて入浴できる。さらには水中照明器具の点灯時には壁面照明器具を点灯して間接照明を行うことができて浴室内全体が非常に暗くなることを防止でき、これにより入浴者は浴室内を安全に移動でき、また浴槽内の発光した湯水の中に身体を浸けた入浴者が不安を感じることを防止できる。また特に上記壁面照明器具はフランジから４００ｍｍ以下の高さに設置してあるため、壁面照明器具を浴槽に入って入浴した入浴者の顔の位置と略同じ高さとでき、これにより壁面照明器具から発する光が浴槽に居る入浴者の目線の先に位置することとなり、上記のように壁面照明器具と水中照明器具を同時に点灯した場合には、入浴者は壁面照明器具から発する光により一層の安心感を得ることができる。
【００１０】
また請求項２に係る発明では、請求項１に係る発明の効果に加えて、主照明器具で浴室全体を照らすことができ、またこの主照明器具を消灯し、且つ壁面照明器具及び水中照明器具を点灯した場合には、浴室内全体が非常に暗くなることを防止でき、これにより入浴者は浴室１内を安全に移動できるようになり、また浴槽内の発光した湯水の中に身体を浸けた入浴者が不安を感じることを防止できる。
【発明を実施するための最良の形態】
【００１１】
以下、本発明を添付図面に示す実施形態に基づいて説明する。図１に示すように本実施形態の浴室照明装置は、浴室１に設置される照明器具として、浴室１内全体を照らす主照明器具２と、浴室１を間接照明する壁面照明器具４ａと、浴槽５内の湯水に光を照射し浴槽５内の湯水を発光する水中照明器具４ｂを備えている。
【００１２】
主照明器具２は浴室１の壁１ａの上部や天井に設置してある。主照明器具２は浴室１内を直接照明する照明器具であり、本実施形態では主照明器具２として発光の明るさを調節可能な調光機能付きの白熱灯を用いる。
【００１３】
壁面照明器具４ａは浴室１の壁１ａに設置してあり、浴室１内に居る入浴者１０にリラックス効果を与える副照明として利用される。壁面照明器具４ａは図２に示すように浴室１の上部に設置される主照明器具２よりも下方で且つ浴槽５よりも上方の位置に横方向に離して２個設置してあり、例えば図３のＰに示すように平面視長方形状の浴槽５の長辺に沿った壁１ａの両側や、図３のＱに示すように平面視長方形状の浴槽５の短辺に沿った壁１ａにおいて浴槽５に対応する部分の両側や、図３のＲに示すように平面視長方形状の浴槽５の短辺に沿った壁１ａにおける浴槽に対応する部分と洗い場に対応する部分に設ける。
【００１４】
上記各壁面照明器具４ａは図４及び図５に示すように外郭をボックス６で構成したものであり、ボックス６は前方に開口した箱状のボックス本体３０と、ボックス本体３０に取付けられる平面視コ字状のカバー３１とからなる。
【００１５】
ボックス本体３０は乳白色で透光性を有すると共に透過する光を拡散する性質を有し、尚且つ耐薬品性を有するＰＰ（ポリプロピレン）等の合成樹脂からなる。ボックス本体３０はその後面をパッキン４０を介して浴室１の壁１ａに沿わせ、ボックス本体３０の後壁部に形成した固着具用孔４２に挿通したビスのような固着具を介して壁１ａに固着される。ボックス本体３０の後壁部の中央からは筒部３２を後方に向けて突設してあり、筒部３２は浴室１の壁１ａに形成した貫通孔３９に挿入されている。筒部３２の内側に貫通形成した孔３２ａの前端はボックス本体３０の内側空間に向けて開口し、該筒部３２の孔３２ａを介してボックス本体３０内に収納した発光体３４の電線３３が浴室１の壁１ａの裏側に引き出されている。なおこの電線３３は後述の制御ユニットに接続している。ボックス本体３０内の後部にはＬＥＤからなる発光体８を備えた発光体ユニット３４を収納してあり、該発光体ユニット３４はボックス本体３０の後壁部に形成したボルト挿通孔４３及び発光体ユニット３４の外郭に後方から挿通したボルト３５と該ボルト３５に螺合したナット３６によりボックス本体３０の後壁部に取付けられている。
【００１６】
カバー３１は遮光性を有し且つ耐薬品性を有するＡＢＳ等の合成樹脂からなる。カバー３１の両側壁部の内面には嵌込部４１を突出形成してあり、各嵌込部４１をボックス本体３０の各側壁部に形成した溝３８に嵌め込んでカバー３１をボックス本体３０に取り付けている。カバー３１の前壁部はボックス本体３０の前面開口を閉塞し、またカバー３１の両側壁部はボックス本体３０の両側壁部を覆っている。
【００１７】
発光体ユニット３４の内部の発光体８から発した光は発光体ユニット３４の前方に向かって照射され、ボックス６の前面部を構成するカバー３１の前壁部の内面に当たるようにしている。そしてこのようにカバー３１の前壁部に当たって反射した発光体８からの光はボックス本体３０の天壁部及び底壁部を透過してボックス６の上方及び下方に漏れ出し、しかして壁面照明装置による間接照明が実現する。このような間接照明を行う壁面照明器具４ａはボックス６の上下から出る柔らかな光により浴室１に居る人にリラックス効果を与えることができる。
【００１８】
一方、水中照明器具４ｂは浴槽５に設置してあり、浴槽５に入浴した入浴者１０にリラックス効果を与える副照明として利用される。水中照明器具４ｂは赤色発光ダイオードからなる赤色発光体、緑色発光ダイオードからなる緑色発光体、青色発光ダイオードからなる青色発光体を備えた光源部を有している。光源部では前記３種類の発光体から発せられる赤色（Ｒ）、緑色（Ｇ）、青色（Ｂ）の３原色の夫々の光量を調整して混合比を替えることで、赤色系の光色（ピンク色）、緑色と赤色の中間色系の光色（黄色）、緑色系の光色（緑色）、緑色と青色の中間色系の光色（水色）、青色系の光色（青色）、青色と赤色の中間色系の光色（紫色）、及び白色、さらに前記黄色と緑色の中間色である黄緑色、緑と水色の中間色である青緑色、水色と青色の中間色である緑青色等の所望の光色で発光できるようになっている。
【００１９】
上記水中照明器具４ｂは浴槽５の下部に設けてあり、浴槽５内に溜められる湯水の水面よりも下方に位置することとなる。具体的には浴槽５における四方の側壁のうち、浴槽５内に入浴した入浴者１０の足先側に位置する側壁を足先壁５ａとし、足先壁５ａと対向する側壁であって入浴者１０が背を凭れさせる側の側壁を背凭れ壁５ｂとし、且つ足先壁５ａ側を前方、背凭れ壁５ｂ側を後方と定義すると、水中照明器具は浴槽５において前後方向に沿う側壁の下部に設けられ、対向する側壁に向けて任意の色相の光を発光する。
【００２０】
ここで上記水中照明器具４ｂの発光により浴槽５内の湯水の大部分を照らすことができれば演出効果を高めることができるため、水中照明器具４ｂは図６や図７のように発光が浴槽５内に居る入浴者１０の身体によって遮られない位置に設置されることが好ましい。
【００２１】
図６の浴槽５は、標準的な体形を有する入浴者１０が無理なく自然な姿勢で入浴した場合、臀部を浴槽５の底面の後端部に載置し且つ脚を伸ばした状態で座った脚伸ばし姿勢と、臀部を浴槽５の底面において脚伸ばし姿勢における臀部を載置する部分よりもやや前方に位置する部分に載置し且つ膝を曲げた状態で座った脚曲げ姿勢のどちらか一方の姿勢となるように大きさ及び形状を設定している。そして脚伸ばし姿勢で入浴した入浴者１０の脚の上方で且つ脚曲げ姿勢で入浴した入浴者１０の脚の下方に水中照明器具４ｂを設置してあり、これにより水中照明器具４ｂから発した光は、脚伸ばし姿勢で入浴した場合には入浴者１０の膝の上方を通過し、また脚曲げ姿勢で入浴した場合には入浴者１０の膝の下方を通過するようになっている。
【００２２】
また図７の浴槽５は底面の前端部を一段高くして段部１１を形成してあり、標準的な体形を有する入浴者１０が段部１１の後部に足裏を当てた状態で入浴した場合には膝を曲げた姿勢で入浴するように大きさ及び形状を設定している。そしてこの姿勢で入浴する入浴者１０の曲げた脚よりも下方に水中照明器具４ｂを設置してあり、これにより水中照明器具４ｂから発した光は入浴者１０の膝の下方を通過するようになっている。
【００２３】
また上記水中照明器具４ｂが設置される浴槽５には図６や図７に示すように浴槽５内の湯水に気泡を発生させる気泡発生装置を設けることが好ましく、この場合は浴槽５内の湯水に発生する気泡に水中照明器具４ｂから発した光が当たって浴槽５内の湯水全体に光を拡散させることができる。気泡発生装置は浴槽５の側壁に設けた吸入口及び吐出口１２、吸入口と吐出口１２を接続する循環路、浴槽内の湯水を吸入口から吸い込むと共に吐出口１２から吐出する循環路に設けたポンプ、ポンプによって循環される浴水に気泡を混入する気泡混入部を備え、ノズルで構成した吐出口１２から気泡混じりの浴水を吐出して入浴者１０の体に当てることでマッサージ効果を与える。なお図６や図７では吐出口１２を前後方向に沿った側壁の前後に設けてあり、各吐出口１２から吐出される気泡混じりの湯水を入浴者１０の大腿部又は脹脛に当てて、この水流により手で摩るようなマッサージを行えるようになっている。
【００２４】
上記水中照明器具４ｂにより浴槽５内の湯水自体を直接照明することで、浴槽５内の湯水を色付きで発光させて幻想的な雰囲気とでき、このような色付きの幻想的な湯水の中に身体を浸けてリラックスした入浴ができるようになっている。
【００２５】
また浴室照明装置は図１に示すように上記浴室１に設置される主照明器具２、壁面照明器具４ａ、水中照明器具４ｂの夫々の点灯状態を変更するための操作器１３と、制御ユニット１４を備え、操作器１３は制御ユニット１４を介して主照明器具２、壁面照明器具４ａ、水中照明器具４ｂの夫々に電気的に接続されている。
【００２６】
操作器１３は浴室１の壁１ａにおいて浴槽５に面する部分に設けてあり、浴槽５に入った入浴者１０から操作可能な位置に設置している。図９に示すように操作器１３の表面には、操作釦２０として、主照明器具２を操作するための主照明用操作釦２０ａ、２０ｂと、壁面照明器具４ａを操作するための壁面照明用操作釦２０ｃと、水中照明器具４ｂを操作するための水中照明用操作釦２０ｄ〜ｆを設けている。なお上記主照明用操作釦２０ａ、２０ｂは主照明器具２を調光するための釦であり、壁面照明用操作釦２０ｃは壁面照明器具４ａのＯＮ・ＯＦＦを切り替えるための釦であり、水中照明用操作釦２０ｄは水中照明器具４ｂのＯＮ・ＯＦＦを切り替えるための釦であり、水中照明用操作釦２０ｆは水中照明器具４ｂを点灯した状態で後述のカラフル循環モードと寒色系循環モードを切り替えるための釦であり、水中照明器具操作用釦２０ｇは後述のカラーセレクトモードに移行し、水中照明器具４ｂの発光の色を変化させるための釦である。
【００２７】
操作器１３は浴室１の天井裏等に設けた制御ユニット１４に有線で電気的に接続している。また図１に示すように制御ユニット１４は浴室１に隣接する脱衣室の壁における浴室１の出入り口近傍等に設置されるメインスイッチ２５を介して電源７に接続している。なおメインスイッチ２５は浴室１の出入り口近傍であれば浴室１の壁に設けても良いものとする。
【００２８】
そして制御ユニット１４が有する制御部は操作器１３の操作釦２０を操作した場合、以下に示すように主照明器具２、壁面照明器具４ａ、水中照明器具４ｂの夫々の点灯状態を変更するようにしている。なお以下の説明では主照明器具２の全灯状態を１００％の明るさとし消灯状態を０％の明るさとして主照明器具２の明るさを記載する。
【００２９】
制御ユニット１４の制御部は、図２に示すように個別動作モードとして破線ａ１で示す初期モードと破線ａ２で示す壁面照明モードと破線ａ３で示す水中照明モードと破線ａ４で示す壁面・水中照明モードとを備えている。メインスイッチ２５をＯＮにした場合、主照明器具２を全灯状態で点灯し、且つ壁面照明器具４ａ及び水中照明器具４ｂを消灯し、初期モードに移行するように設定している。初期モードでは常に主照明器具２を点灯状態とし且つ壁面照明器具４ａ及び水中照明器具４ｂを消灯状態とする。また初期モードでは主照明器具２が明るさ２０〜１００％の範囲で主照明用操作釦２０ａ、２０ｂの操作により調光可能な状態となる。
【００３０】
初期モードで壁面照明用操作釦２０ｃを操作した場合には、主照明器具２を消灯し、且つ壁面照明器具４ａを点灯し、水中照明器具４ｂを消灯した状態のままで壁面照明モードに移行する。壁面照明モードでは常に壁面照明器具４ａを点灯状態とし、水中照明器具４ｂを消灯状態とする。また壁面照明モードでは主照明器具２が主照明用操作釦２０ａ、２０ｂの操作により０〜１００％の範囲で調光可能な状態となる。壁面照明モードにおいて壁面照明用操作釦２０ｃを再度操作した場合には、主照明器具２を全灯状態で点灯し、且つ壁面照明器具４ａ及び水中照明器具４ｂを消灯し、前記初期モードに移行する。
【００３１】
初期モードで水中照明用操作釦２０ｄを操作した場合には、主照明器具２を全灯状態よりも暗い所定の明るさ（２０％）にし、且つ水中照明器具４ｂを点灯し、水中照明モードに移行する。水中照明モードでは常に壁面照明器具４ａを消灯状態とし、水中照明器具４ｂを点灯状態とする。また水中照明モードでは主照明用操作釦２０ａ、２０ｂの操作により主照明器具２が０〜１００％の範囲で調光可能な状態となる。水中照明モードにおいて水中照明用操作釦２０ｄを再度操作した場合には、主照明器具２を全灯状態で点灯し、且つ水中照明器具４ｂを消灯し、前記初期モードに移行する。
【００３２】
壁面照明モードで水中照明用操作釦２０ｄを操作した場合、及び水中照明モードで壁面照明用操作釦２０ｃを操作した場合には、主照明器具２を消灯し、且つ壁面照明器具４ａ及び水中照明器具４ｂを点灯し、壁面・水中照明モードに移行する。壁面・水中照明モードでは常に壁面照明器具４ａ及び水中照明器具４ｂを点灯状態とする。また壁面・水中照明モードでは主照明器具２が０〜１００％の範囲で主照明用操作釦２０ａ、２０ｂの操作により調光可能な状態となる。また壁面・水中照明モードで水中照明用操作釦２０ｄを再度操作した場合には、壁面照明器具４ａの点灯状態を維持したままで、主照明器具２及び水中照明器具４ｂを消灯し、壁面照明モードに移行する。また壁面・水中照明モードで壁面照明用操作釦２０ｃを再度操作した場合には、水中照明器具４ｂの点灯状態を維持したままで、主照明器具２及び壁面照明器具４ａを消灯し、水中照明モードに移行する。また各個別動作モードにおいてメインスイッチ２５をＯＦＦにした場合は主照明器具２及び壁面照明器具４ａ及び水中照明器具４ｂを消灯する。
【００３３】
また本実施形態の水中照明モード及び壁面・水中照明モードは、カラフル循環モード、寒色系循環モード、カラーセレクトモードを備えており、他の個別動作モードから水中照明モード、壁面・水中照明モードに移行した時にはまずカラフル循環モードに移行するようになっている。
【００３４】
カラフル循環モードは水中照明器具４ｂを緑色系の光色、青色系の光色、赤色系の光色の順に循環させて発光するモードであり、該カラフル循環モードでは青色系の光色から青色と赤色の中間色系の光色に変化し、次に青色と赤色の中間色系の光色から赤色系の光色としてピンク色の光色に変化し、次にピンク色の光色から白色の光色を経て赤色と緑色との中間色系の光色に変化するように設定されている。具体的には黄色、緑色、水色、青色、紫色、ピンク色、白色の順で水中照明器具４ｂの光色を所定時間毎に順次変更する。このカラフル循環モードでは水中照明器具４ｂによって浴槽５内の湯水を略全色の光を循環して発することができて効果的な演出ができる。なおこのカラフル循環モードでは、ピンク色の光色から白色の光色を経て赤色と緑色との中間色系の光色に変化するようにしており、入浴者を不快にする血の色に似た赤色を用いないようにしている。
【００３５】
また水中照明モード及び壁面・水中照明モードにおいて、水中照明器具操作用釦２０ｆを操作した場合には寒色系循環モードに移行する。寒色系循環モードは、水中照明器具４ｂを寒色系の色である、水色の光色、緑青色の光色、青色の光色、青緑色の光色をこの順に循環させて発光するモードである。この寒色系循環モードでは水色、緑青色、青色、青緑色の落ち着いた寒色系の色を循環させるので一層リラックス効果を高めることができる。
【００３６】
また水中照明モード及び壁面・水中照明モードにおいて、水中照明器具操作用釦２０ｇを操作した場合にはカラーセレクトモードに移行する。カラーセレクトモードは、水中照明器具４ｂを黄色、黄緑色、緑色、青緑色、水色、緑青色、青色、紫色、ピンク色、白のうち選択された任意の光色に固定して発光するモードであり、水中照明器具操作用釦２０ｇを押し操作する毎に黄色、黄緑色、緑色、青緑色、水色、緑青色、青色、紫色、ピンク色、白の順に水中照明器具４ｂから発する光の色を変更するものである。またこのカラーセレクトモードにおいては図８に示すように水中照明器具４ｂから発する光の明るさを所定時間毎（例えば１０秒毎）に強弱させる。また寒色系循環モード及びカラーセレクトモードにおいて水中照明器具操作用釦２０ｆを操作した場合にはカラフル循環モードに移行する。
【００３７】
既述の制御ユニット１４による制御では、メインスイッチ２５がＯＮの状態にある場合には、浴室１に設置した全ての副照明（即ち壁面照明器具４ａ及び副照明４ｂ）を消灯している状態では主照明器具２を所定の明るさから全灯までの範囲（２０〜１００％）内で調光可能とし、１以上の副照明を点灯した状態では主照明器具２を消灯から全灯までの範囲（０〜１００％）内で調光可能としているので、副照明を１種類以上点灯した状態でのみ主照明器具２が消灯でき、メインスイッチ２５がＯＮの状態にある場合に主照明器具２及び浴室１に設置した全ての副照明が消灯して浴室１が真っ暗になることを防止できる。
【００３８】
また浴室１に入る際にメインスイッチ２５をＯＮにして主照明器具２を全灯状態として安全に入室でき、またこの後、壁面照明用操作釦２０ｃを操作して壁面照明モードに移行した時には主照明器具２を自動的に消灯でき、壁面照明器具４ａによるリラックス効果を高めることができる。
【００３９】
また浴室１に入る際にメインスイッチ２５をＯＮにして主照明器具２を全灯状態として入室した後、水中照明用操作釦２０ｄを操作して水中照明モードに移行した時には主照明器具２を全灯状態よりも暗い所定の明るさの点灯状態とすることができ、水中照明器具４ｂによる演出効果を高めることができる。またこの水中照明モードに移行した時には主照明器具２を消灯しないので、入浴者１０は浴槽５から洗い場へ移る時など浴室１内を安全に移動することができ、また浴室１内が暗くなると不安を感じやすい傾向にある女性が主照明器具２の消灯により不安を感じてしまうことなども防止できる。さらにこの水中照明モードでは主照明器具２が調光可能となるので、浴室１内が暗くなっても不安を感じ難い傾向にある男性は主照明器具２の明るさを弱くすることもできる。
【００４０】
また壁面・水中照明モードに移行した時には主照明器具２を自動的に消灯できるので、壁面照明器具４ａ及び水中照明器具４ｂによる演出効果を高めることができ、またこの壁面・水中照明モードでは壁面照明器具４ａと水中照明器具４ｂを同時に点灯するので、壁面照明器具４ａで浴室１内を間接照明することができ、浴槽５内に居る入浴者は不安を感じず一層リラックスすることができる。
【００４１】
ここで本発明では上記浴室照明装置における壁面照明器具４ａは浴槽５の上端部に周設したフランジ５ｃ（図６や図７参照）よりも上方に設置してあり、且つこの壁面照明器具４ａの設置位置はフランジ５ｃの上面から壁面照明器具４ａの高さ方向の中心（センタ）までの距離、即ちフランジ５ｃからの高さが４００ｍｍ以下（好ましくは壁面照明器具４ａはフランジからの高さが１８０ｍｍ以上の位置であり、浴槽の底からの高さが６６０ｍｍ〜８６０ｍｍの範囲）となる位置に設置している。なお壁面照明器具４ａの図４のｈに示す高さ寸法は３５ｍｍとする。
【００４２】
このように壁面照明器具４ａを浴室１の壁１ａにおける浴槽５のフランジ５ｃよりも上方で且つフランジ５ｃから４００ｍｍ以下の高さに設置することで、壁面照明器具４ａを浴槽５に入って入浴した標準的な体格の入浴者１０の顔の位置と略同じ高さとでき、これにより壁面照明器具４ａから発する光が浴槽５に居る入浴者１０の目線の先に位置する。従って既述の壁面・水中照明モードにおいて壁面照明器具４ａと水中照明器具４ｂを同時に点灯した場合には、入浴者１０は間接照明を行うための壁面照明器具４ａから発する光により一層の安心感を得ることができる。
【００４３】
また壁面照明器具４ａは洗い場の床面を１〜５ルクス（好ましくは１〜３ルクス）で照明する明るさに設定してあり、５ルクス以下の明るさに設定することで水中照明器具４ｂによる演出効果を高め、尚且つ１ルクス以上とすることで浴室１内を移動する入浴者が危険になることを防止している。
【００４４】
また本実施形態では主照明器具２を調光機能付きの照明器具としたが、主照明器具２を調光機能の無い照明器具で構成しても良く、以下この実施形態について説明する。なお以下の説明では上記実施形態と同一の構成については同一の番号を付与し、重複する説明は省略する。
【００４５】
主照明器具２としては例えば調光機能の無い蛍光灯を用いる。また操作器１３は図１０に示すように主照明用操作釦２０ａ及び２０ｂに替えて主照明器具２を操作するための主照明用操作釦２０ｈを備え、該主照明用操作釦２０ｈは主照明器具２のＯＮ・ＯＦＦを切り替えるための釦である。
【００４６】
そして制御ユニット１４の制御部は、図１１に示すように個別動作モードとして破線ｂ１で示す壁面照明モードと破線ｂ２で示す水中照明モードと破線ｂ３で示す壁面・水中照明モードを備えている。メインスイッチ２５をＯＮにした場合、主照明器具２を点灯し、且つ壁面照明器具４ａ及び水中照明器具４ｂを消灯した初期状態とするように設定している。
【００４７】
この初期状態で壁面照明用操作釦２０ｃを操作した場合には、主照明器具２及び水中照明器具４ｂを消灯し、且つ壁面照明器具４ａを点灯し、壁面照明モードに移行する。壁面照明モードでは常に壁面照明器具４ａを点灯状態とし、水中照明器具４ｂを消灯状態とする。また壁面照明モードでは主照明器具２のＯＮ・ＯＦＦが主照明用操作釦２０ｈの操作により切替可能な状態となる。また壁面照明モードにおいて壁面照明用操作釦２０ｃを再度操作した場合には、前記初期状態に移行する。
【００４８】
また前記初期状態で水中照明用操作釦２０ｄを操作した場合には、主照明器具２を点灯状態とし且つ壁面照明器具４ａを消灯状態としたまま水中照明器具４ｂを点灯し、水中照明モードに移行する。水中照明モードでは常に壁面照明器具４ａを消灯状態とし、水中照明器具４ｂを点灯状態とする。また水中照明モードでは主照明器具２のＯＮ・ＯＦＦが主照明用操作釦２０ｈの操作により切替可能な状態となる。また水中照明モードにおいて水中照明用操作釦２０ｄを再度操作した場合には、前記初期状態に移行する。
【００４９】
また壁面照明モードで水中照明用操作釦２０ｄを操作した場合、及び水中照明モードで壁面照明用操作釦２０ｃを操作した場合には、主照明器具２を消灯し、且つ壁面照明器具４ａ及び水中照明器具４ｂを点灯し、壁面・水中照明モードに移行する。壁面・水中照明モードでは常に壁面照明器具４ａ及び水中照明器具４ｂを点灯状態とする。また壁面・水中照明モードでは主照明器具３のＯＮ・ＯＦＦが主照明用操作釦２０ｈの操作により切替可能な状態となる。また壁面・水中照明モードで水中照明用操作釦２０ｄを操作した場合には、壁面照明器具４ａの点灯状態を維持したままで、主照明器具３及び水中照明器具４ｂを消灯し、壁面照明モードに移行する。また壁面・水中照明モードで壁面照明用操作釦２０ｃを操作した場合には、水中照明器具４ｂの点灯状態を維持したままで、主照明器具３及び壁面照明器具４ａを消灯し、水中照明モードに移行する。また前記初期状態及び各個別動作モードにおいてメインスイッチ２５をＯＦＦにした場合は主照明器具２及び壁面照明４ａ及び水中照明器具４ｂを消灯する。
【図面の簡単な説明】
【００５０】
【図１】本発明の実施の形態の一例を示す浴室照明装置の説明図である。
【図２】制御ユニットによる制御を示す説明図である。
【図３】壁面照明器具の設置例を示す平面視説明図である。
【図４】壁面照明器具を浴室の壁に設置した状態を示す側断面図である。
【図５】壁面照明器具の分解斜視図である。
【図６】水中照明器具の設置位置の一例を示す説明図である。
【図７】水中照明器具の設置位置の他例を示す説明図である。
【図８】カラーセレクトモードにおいて水中照明から発する光の時間と明るさの関係を示すグラフである。
【図９】操作器の正面図である。
【図１０】他の実施形態における操作器の正面図である。
【図１１】同上の制御ユニットによる制御を示す説明図である。
【符号の説明】
【００５１】
１  浴室
１ａ  壁
２  主照明器具
４ａ  壁面照明器具
４ｂ  水中照明器具
５  浴槽
５ｃ  フランジ
【図１】
2008053192.tif 000003
【図２】
2008053192.tif 000004
【図３】
2008053192.tif 000005
【図４】
2008053192.tif 000006
【図５】
2008053192.tif 000007
【図６】
2008053192.tif 000008
【図７】
2008053192.tif 000009
【図８】
2008053192.tif 000010
【図９】
2008053192.tif 000011
【図１０】
2008053192.tif 000012
【図１１】
2008053192.tif 000013